(57)【特許請求の範囲】
【請求項１】
洋式便器上に設置され、前記洋式便器のボウル部内の空気を吸引して排出する機能を有する衛生洗浄装置を構成する脱臭ファン付きの脱臭風路に配備される芳香装置であって、前記脱臭風路に着脱可能に配置される芳香剤容器と、前記芳香剤容器内に出し入れ可能に収容される芳香剤含浸パッドと、を備え、前記芳香剤容器の一部に、前記芳香剤含浸パッドを係止するための掴み部を設けたことを特徴とする芳香装置。
【請求項２】
前記芳香剤容器の底部の少なくとも前記掴み部と対向する部分に開口部を設けたことを特徴とする請求項１記載の芳香装置。
【請求項３】
前記開口部に異物通過を防止するためのガード部材を設けたことを特徴とする請求項２記載の芳香装置。
【請求項４】
前記芳香剤容器の周縁部に切欠部を設けたことを特徴とする請求項１〜３のいずれかに記載の芳香装置。
【発明の詳細な説明】
【技術分野】
【０００１】
本発明は、洋式便器内から発生する臭気を消すために、洋式便器に配備された衛生洗浄装置に組み込んで使用される芳香装置に関する。
【背景技術】
【０００２】
近年、洋式便器の多機能化が進み、便蓋・便座開閉機構あるいは排便後の衛生洗浄機構などを備えた衛生洗浄装置が便器上面の後部に取り付けられている。また、これらの機構に加え、便器から発生する臭気を消す機構を備えたものも開発されている（例えば、特許文献１，２参照。）。
【０００３】
特許文献１に記載された消臭機能付き便座は、便器から発生する臭気を吸引して消臭する機能を備えており、便器本体のボウル部から排気ファンで吸引した空気を排出するための脱臭風路の出口近くに芳香液剤を封入した消臭カセットを着脱自在に取り付けたものである。そして、脱臭風路の出口のフィルタ部分に消臭カセット内の芳香液を徐々に含浸させるようにして、脱臭風によりトイレ内に芳香を吹き出し、臭気をマスクするようにしたものである。この消臭機能付き便座では、使用者が便座に着座したときに限り芳香機能が作動し、使用者が不在のときには芳香機能が停止するようになっているので、芳香液を無駄にすることがない。
【０００４】
また、特許文献２に記載された芳香発生器は、消臭ファンを備えた消臭ダクトの前方に芳香装置を配設したものであり、この芳香装置は、消臭ダクトの下面に取り付けられた複数の容器本体と、これらの容器本体内部に充填された種類の異なる芳香剤と、消臭ダクト内部と連通させるため容器本体の上部に設けられた開口部と、この開口部に設けられた芳香ファンと、芳香ファン駆動用のモータとで構成されている。そして、互いに種類の異なる複数の芳香剤が充填された収納容器本体の開閉を制御することによって、異なった種類の芳香を楽しむことができるようにしたものである。
【０００５】
【特許文献１】実公平６−４８００号公報
【特許文献２】特開平４−２６１９２８号公報
【発明の開示】
【発明が解決しようとする課題】
【０００６】
特許文献１に記載された消臭機能付き便座においては、芳香液剤が無くなったら消臭カセットを交換しなければならないが、消臭カセットが衛生洗浄装置の袖部の下部に取り付けられているため、交換作業時に腰を屈めなければならず、作業が面倒であり、作業者の肉体的負担も大である。また、特許文献２に記載された芳香発生器においても、芳香装置は、衛生洗浄装置の脱臭ダクトの中間付近に組み込まれているため、芳香剤が無くなったときの充填などのメンテナンス作業が大変である。
【０００７】
そこで、本出願人は、特願２００４−３２９５７１において、芳香装置のメンテナンスを簡単に行うことのできる衛生洗浄装置を提案している。この衛生洗浄装置においては、当該装置内に設けられた脱臭風路に芳香装置を配置し、芳香装置を構成する芳香剤容器内に収納された含浸用パッドに芳香剤を滴下して含浸させる。
【０００８】
ところが、前記芳香装置の場合、含浸用パッドに対する芳香剤の滴下作業は各個人で行われるため、含浸させる芳香剤の分量に個人差が生じてしまい、発生する香りに強弱が出ることがある。また、滴下された芳香剤が誤って手などに付着すると、メンテナンスのたびに手を洗わなければならず、煩わしさが生じる。
【０００９】
本発明が解決しようとする課題は、芳香の発生状態を安定に保つことができ、芳香発生手段のメンテナンスも容易な芳香装置を提供することにある。
【課題を解決するための手段】
【００１０】
本発明の芳香装置は、洋式便器上に設置され、前記洋式便器のボウル部内の空気を吸引して排出する機能を有する衛生洗浄装置を構成する脱臭ファン付きの脱臭風路に配備される芳香装置であって、前記脱臭風路に着脱可能に配置される芳香剤容器と、前記芳香剤容器内に出し入れ可能に収容される芳香剤含浸パッドと、を備え、前記芳香剤容器の一部に、前記芳香剤含浸パッドを係止するための掴み部を設けたことを特徴とする。
【００１１】
このような構成とすれば、予め芳香剤が含浸された状態で芳香剤容器に収容された芳香剤含浸パッドから一定の芳香が連続的に発生するため、芳香の発生状態を安定に保つことができる。また、芳香剤容器に収容される芳香剤含浸パッドは掴み部で係止可能であるため、収容作業中に安定保持することができ、取り替え作業性が良好であり、収容後も安定保持することができる。さらに、芳香剤含浸パッドの芳香発生機能が低下したときは、芳香剤含浸パッドを芳香剤容器から取り出して、新たな芳香剤含浸パッドと取り替えることができるため、芳香剤の滴下作業等が不要であり、芳香発生手段のメンテナンスも容易である。
【００１２】
また、前記芳香剤容器の底部の少なくとも前記掴み部と対向する部分に開口部を設ければ、摘み部と対向する位置にある開口部から、芳香剤容器に収容された芳香剤含浸パッドに触れることが可能となるため、芳香剤容器に収容された芳香剤含浸パッドを掴み部で安定保持する機能を維持しつつ、芳香剤容器から芳香剤含浸パッドが取り出し易くなる。このため、芳香発生手段のメンテナンス性がさらに向上する。
【００１３】
この場合、前記開口部に異物通過を防止するためのガード部材を設ければ、芳香剤容器に収容された芳香剤含浸パッドが開口部から露出したり、芳香剤容器への芳香剤含浸パッドの着脱の際に手指が開口部に侵入したりするのを防止することができる。
【００１４】
一方、前記芳香剤容器の周縁部に切欠部を設ければ、芳香剤容器から芳香剤含浸パッドを取り出す際に、切欠部内に位置する芳香剤含浸パッドの一部を手指で掴んで引き出すことが可能となるため、取り出し作業がさらに容易となる。
【発明の効果】
【００１５】
本発明により、芳香の発生状態を安定に保つことができ、芳香発生手段のメンテナンスも容易な芳香装置を提供することができる。
【発明を実施するための最良の形態】
【００１６】
以下、図面に基づいて、本発明の実施の形態について説明する。図１は本発明の実施の形態である芳香装置を使用した衛生洗浄装置を示す斜視図、図２は図１に示す衛生洗浄装置の一部拡大図、図３は図１に示す芳香装置の分解斜視図、図４は図１に示す衛生洗浄装置の内部構造を示す斜視図、図５は図３の一部を拡大して示す分解斜視図、図６は図２に示す芳香装置を構成する芳香剤容器を示す斜視図、図７は図２におけるＡ−Ａ線断面図、図８は図２におけるＢ−Ｂ線断面図である。
【００１７】
図１〜図５に示すように、洋式便器１上に設置された衛生洗浄装置１０は、洋式便器１のボウル部内の空気を吸引して排出する機能を有し、この衛生洗浄装置１０を構成する脱臭ファン２付きの脱臭風路３に本実施形態の芳香装置５０が配備されている。芳香装置５０は、脱臭風路３に着脱可能に配置される略四角皿形状の芳香剤容器５と、芳香剤容器５内に出し入れ可能に収容される四角板形状の芳香剤含浸パッド６と、を備えている。芳香剤容器５は、芳香剤含浸パッド６を収容するための収容部５ａと、芳香剤容器５を着脱可能に係止するため収容部５ａの後縁部５ｒの中央に突設された係合部５ｂと、係合部５ｂを挟んで後縁部５ｒの両端に突設された楔形状の誘込部５ｃと、を備えている。また、収容部５ａの底部５ｈの片方の側縁部にはＵ字状の切欠部５ｄが開設され、芳香剤含浸パッド６を係止するため切欠部５ｄと対向する位置に舌片状の掴み部５ｅが設けられ、底部５ｈの掴み部５ｅと対向する位置にＵ字状の開口部５ｇが開設されている。
【００１８】
衛生洗浄装置１０は、図３〜図５に示すように、本体ケース１０ｃ内に、給水部（図示せず）からの供給される水により人体局部を洗浄する衛生洗浄ノズル２０の基部を収め、洋式便器１のボウル部内の空気を吸引して排出する脱臭ファン２付きの脱臭風路３を有している。脱臭風路３の吸引口１１付近にはフィルタ９が配置されている。
【００１９】
図５に示すように、脱臭風路３は、脱臭ファン２の下流において衛生洗浄装置１０本体の側面方向に９０度折れ曲がり、図３に示すように、衛生洗浄装置１０本体の側面に位置する本体カバー１０ａ側面に脱臭風路３の排気口４が開設され、略長方形の排気口４の開口部分には、通気性を有するルーバ７が着脱可能に装着されている。ルーバ７に向かって左下のコーナ寄りの部分に、芳香剤容器５を挿入するための開口部７ａが開設され、この開口部７ａに芳香剤容器５が着脱可能に挿入されている。また、吸引口１１から吸引した空気中の臭気を無臭化するため、図８に示すように、脱臭風路３内の排気口４の近傍に触媒８が配置されている。本実施形態において使用している触媒８は、チタニア、シリカ基材に酸化マンガン処理を施すことによって形成されたものであり、臭気混じりの空気が触媒８を通過する間に無臭化される。
【００２０】
また、ルーバ７の開口部７ａの上下部分には、芳香剤容器５を着脱する際に指先を挿入するスペースとなる凹部７ｂが、設けられている。芳香剤容器５の収容部５ａには、予め芳香剤が含浸された芳香剤含浸パッド６が着脱可能に収容されている。このように、芳香装置５０は、芳香発生源である芳香剤含浸パッド６を収容した芳香剤容器５を脱臭風路３の排気口４近傍に着脱可能に配備することによって形成されている。
【００２１】
芳香発生源は放置しておいても芳香成分が徐々に揮発するが、本実施形態のように、洋式便器１のボウル部内の空気を吸引して排出する脱臭風路３に芳香装置５０を配置したことにより、脱臭ファン２で発生する空気流によって芳香装置５０からの揮発量を高めることができる。即ち、本実施形態においては、脱臭ファン２が芳香揮発手段として機能している。
【００２２】
図３に示すように、ルーバ７は、その外周に設けられた複数の係合爪７ｃを、本体カバー１０ａの側面に開設された開口部１０ｂの内周部分に係合・離脱させることによって装着・離脱可能である。このため、ルーバ７を離脱させた状態にして、触媒８を交換することができる。また、開口部１０ｂから見える脱臭風路３内において、ルーバ７の開口部７ａの背面に位置する部分には、この開口部７ａから差し込まれた芳香剤容器５を収納するために脱臭風路３の終端部分を拡径させて形成した棚状の収納部１５が設けられている。そして、収納部１５の奥には、芳香剤容器５の後縁部５ｒに突設された係合部５ｂを挿入することによって芳香剤容器５を着脱可能に保持するラッチ機構１４が設けられている。
【００２３】
図６に示すように、芳香剤容器５は、切欠部５ｄを除く底部５ｈの外周部分に壁部５ｗを立設することにより略四角皿形状をなすように形成されている。芳香剤容器５の後縁部５ｒには、前述したラッチ機構１４に挿入、離脱可能な、平面視形状が略矢印形状の係合部５ｂが突設され、後縁部５ｒの両端部分に楔形状をした一対の誘込部５ｃが突設されている。前縁部５ｆの中央部分は外側に向かって滑らかに膨出した凸曲面を成している。
【００２４】
衛生洗浄装置１０においては、便座に座った人から見て左側面に位置する本体カバー１０ａの左側面に芳香装置５０が配置され、芳香発生源である芳香剤含浸パッド６が収容された芳香剤容器５が着脱可能な状態で装着されている。このため、使用者は便座１ａ（図１参照）に着座した姿勢のままで片手を伸ばして、後述する手順に従って芳香剤容器５を操作することにより、ルーバ７から芳香剤容器５を取り外して、そのメンテナンス、例えば、芳香剤含浸パッド６の取り替えなどを簡単に行うことができる。
【００２５】
ここで、図２，図３を参照しながら、芳香装置５０を構成する芳香剤容器５の着脱手順について説明する。平常時は図２に示すようにルーバ７の開口部７ａに挿入された状態にある芳香剤容器５を取り外す場合、まず芳香剤容器５の前縁部５ｆを奥に向かって押し込む。このとき、図３に示すように、ルーバ７の開口部７ａの上下部分に形成された凹部７ｂに手指を入れ込むようにして軽く押し込んだ後、前縁部５ｆから手指を離すと、ラッチ機構１４の作用により芳香剤容器５の前縁部５ｆが開口部７ａから１０ｍｍ程度突出し、この状態で保持される。
【００２６】
この後、開口部７ａから突出した状態にある芳香剤容器５を手指で把持して引き出すと、図３に示すように、ルーバ７の開口部７ａから芳香剤容器５全体を取り外すことができる。そして、後述する手順に従って、芳香剤容器５の収容部５ａ内に収容された芳香剤含浸パッド６を取り出し、新しい芳香剤含浸パッド６を芳香剤容器５の収容部５ａ内に収容することができる。
【００２７】
次に、図９〜図１１に基づいて、ラッチ機構１４の構造、機能などについて説明する。図９（ａ）はラッチ機構を示す平面図、同（ｂ）はラッチ機構を示す一部切欠側面図、図１０は図９に示すラッチ機構に芳香剤容器を保持する過程を示す図、図１１は図９に示すラッチ機構から芳香剤容器を離脱させる過程を示す図である。
【００２８】
図９に示すように、ラッチ機構１４は、後端が閉じて前端が開放した固定筒１４１と、ロッド１４２と、このロッド１４２上に回転自在に取り付けられたカム爪１４３と、固定筒１４１とロッド１４２との間で圧縮されるコイルバネ１４４と、を備えている。
【００２９】
ロッド１４２の後半部は下面と後面に開放した開放部１４２Ａを有し、コイルバネ１４４はこの開放部中に収容されている。従って、芳香剤容器５を差し込むことにより、ロッド１４２を固定筒１４１中に押込むと、コイルバネ１４４は固定筒１４１の後壁と開放部１４２Ａの前壁の間で圧縮され、次に芳香剤容器５を取り外す際の力を蓄える。なお、ロッド１４２の後半部上面には後にカム爪１４３を枢着し、前にストッパ１４２Ｂがある。ストッパ１４２Ｂは固定筒１４１の上壁に設けた前後方向の長孔１４１ｃに係合し、ロッド１４２の前後方向の摺動をガイドし、且つ規制する。
【００３０】
カム爪１４３の両端間の長さはロッド１４２の後半部の幅にほぼ等しく、その各端部にはＶ形の切欠き１４３ａと、丸味をもった一方の撫で肩の角１４３ｂを回転対称に有し、他方の角１４３ｃは爪の側面と切欠き１４３ａが交わって尖鋭である。また、固定筒１４１は一側の内壁の奥に、ロッド１４２が最も押込まれたときにカム爪１４３の一方の端部の切欠き１４３ａに係合してカム爪１４３を少量回転させる第１突起爪１４１ａ、他側の内壁には奥から少し離れて第２突起爪１４１ｂを有する。
【００３１】
芳香剤容器５を収納するときは固定筒１４１中に引込み、芳香剤容器５を取り出すときには固定筒１４１の外に出るロッド１４２の前半部は、薄肉のヒンジ１４２ｂで後半部と連接した対の保持片１４２ａ，１４２ａになっている。この一対の保持片１４２ａ，１４２ａは斜め外向きに開いた逆ハ字形に成形し、且つ各保持片１４２ａのヒンジ側の基部内面と、保持片１４２ａが芳香剤容器５の係合部５ｂを保持するため固定筒１４１の内部に没入したときに上記基部内面に対向するロッド１４２の後半部の前端面のどちらか一方、又は双方に変形する突起１４２ｃを設ける。
【００３２】
従って、芳香剤容器５を収納するために押すと、係合部５ｂはロッド１４２の後半部前端面に当接してロッド１４２を固定筒１４１の内部に押込む。これによりロッド１４２の前半部である一対の保持片１４２ａ，１４２ａは固定筒中に入ろうとして固定筒１４１の口縁に摺接し、夫々ヒンジ１４２ｂを撓めて内向きに曲がり、ヒンジ側の基部内面と、ロッド１４２の後半部の前端面のどちらか一方、又は双方にある突起１４２ｃは当接して変形し、この状態で係合部５ｂの先端部を挟む。
【００３３】
カム爪１４３、両突起爪１４１ａ，１４１ｂの作動は、芳香剤容器５を保持していない状態（図１０（ａ））から、芳香剤容器５の収納位置を少し過ぎるまで芳香剤容器５を差し込み（図１０（ｂ））、さらに、コイルバネ１４４に抗してロッド１４２を固定筒１４１中に最も深く押込むと、カム爪１４３は第１突起爪１４１ａにより少量回動する（図１０（ｃ））。
【００３４】
この状態で芳香剤容器５を押すのを止めるとコイルバネ１４４の復元力でロッド１４２は少し押出され、芳香剤容器５は飛び出す方向に少し動くが、少量回動したカム爪１４３の切欠き１４３ａの一側が途中の第２突起爪１４１ｂに係合してカム爪１４３は更に回動し、鋭利な角１４３ｃが固定筒１４１の一側の内壁に引掛かり、カム爪１４３は固定筒中で約４５°回動した状態に詰まってそれ以上にロッド１４２は押出されず、固定筒１４１に対しロックされる（図１０（ｄ））。なお、この位置で芳香剤容器５は所定位置に収納された状態となる。
【００３５】
次に、芳香剤容器５を取り出す場合には、芳香剤容器５の前縁部５ｆを再び押す（図１１（ａ））。これによりロッド１４２は再び奥まで押込まれ、カム爪１４３は撫で肩の角１４３ｂで第１突起爪１４１ａに係合して更に約４５°回動してロッド１４２とほぼ直交した向きになる（図１１（ｂ））。そこで、押すのを止めると、コイルバネ１４４の復元力でロッド１４２は押出され、カム爪１４３は撫で肩の角１４３ｂで第２突起爪１４１ｂと係合して更に９０°回動し、ロッド１４２と揃った向きになり（図１１（ｃ））、ストッパ１４２Ｂが長孔１４１ｃの前端に当接するまでロッド１４２は押出され（図１１（ｄ））、芳香剤容器５は飛び出す。
【００３６】
次に、図１２に基づいて、芳香剤容器５に芳香剤含浸パッド６を収容する手順について説明する。図１２は図６に示す芳香剤容器５に対し芳香剤含浸パッド６を収容する手順を示す図である。
【００３７】
図１２（ａ）に示すように、未使用の芳香剤含浸パッド６は遮光性を有するアルミ蒸着フィルムで形成された気密性の包装袋５１に密封されているので、使用する際には、図１２（ｂ）に示すように、包装袋５１の一部をカットして芳香剤含浸パッド６の一部を露出させる。そして、包装袋５１に入った状態で芳香剤含浸パッド６の露出部分６ａを、芳香剤容器５の切欠部５ｄ側から収容部５ａ内に向かって移動させ、芳香剤容器５の切欠部５ｄ付近を芳香剤含浸パッド６の下面と包装袋５１の内面との間に挿入しながら、露出部分６ａを掴み部５ｅと開口部５ｇとの間に差し込むと、図１２（ｃ）に示すように、包装袋６ａに入った状態で芳香剤含浸パッド６が収容部５ａに収容される。この後、図１２（ｄ）に示すように、包装袋５１のみを矢線方向へ引っ張れば、芳香剤容器５に対する芳香剤含浸パッド６の収容作業が完了する。
【００３８】
なお、芳香剤含浸パッド６の厚さが、収容部５ａの底面と掴み部５ｅの隙間に差し込んだだけでは係止できない程度に薄い場合には、図１２（ｃ）の状態で掴み部５ｅを下方に押し下げて、掴み部５ｅと収容部５ａの底面とで芳香剤含浸パッド６を挟持し、包装袋５１を図１２（ｄ）の矢線方向へ引っ張れば、収容部５ａに芳香剤含浸パッド６を収容することもできる。この場合、図６に示すように、開口部５ｇに手指が入るのを防止するためのガード部材５ｖを設けておけば、芳香剤含浸パッド６に手指が触れることなく、掴み部５ｅの押し下げ作業を行うことができる。
【００３９】
次に、図３に示すように、ルーバ７の開口部７ａに向かって芳香剤容器５を近づけ、後縁部５ｒにある係合部５ｂから開口部７ａに差し込んだ後、前縁部５ｆを奥に向かって軽く押圧すると、芳香剤容器５の背面部分が収納部１５に収納されるとともに、係合部５ｂがラッチ機構１４に挿入されることによって、芳香剤容器５が開口部７ａに取り付けられる。なお、芳香剤容器５の後縁部５ｒを開口部７ａに差し込むとき、後縁部５ｒの両端に突設された一対の誘込部５ｃをそれぞれ開口部７ａの両端付近に配置して押し込めば、楔形状の誘込部５ｃがガイド機能を発揮するため、位置合わせも容易である。
【００４０】
一方、開口部７ａから取り出した芳香剤容器５内に収容されている芳香剤含浸パッド６を取り出す場合は、芳香剤含浸パッド６において芳香剤容器５の切欠部５ｄに面する領域６ｂ（図１２（ｄ）参照）の上下両面にトイレットペーパーなどを当てた状態にして手指で挟み、そのまま持ち上げるようにして引き出せば、収容部５ａから容易に取り出すことができる。
【００４１】
このように、使用者は、前述した手順に沿って作業を行うことにより、ルーバ７の開口部７ａから芳香剤容器５を取り外して芳香剤含浸パッド６の取り替えを簡単に行うことが可能であるため、メンテナンスは極めて容易である。また、芳香剤含浸パッド６に直接手指などが触れることなく、取り替え作業を行うことができるため、手指などに芳香が付着することもない。さらに、予め芳香剤が含浸された芳香剤含浸パッド６を芳香剤容器５に収容するため、芳香の発生状態を安定に保つことができる。
【００４２】
芳香装置５０においては、芳香剤容器５を挿入するための開口部７ａを有するルーバ７を脱臭風路３の排気口４に配置し、この開口部７ａに芳香剤容器５を着脱可能に配置しているため、芳香剤容器５の着脱部位がルーバ７に位置している。このため、このような着脱部位を衛生洗浄装置１０の本体に別途設ける場合に比べ、外観上の違和感がなくなり、意匠性も良好である。
【００４３】
さらに、図３で示したように、脱臭風路３に芳香剤容器５の収納部１５を設け、芳香剤容器５を着脱可能に保持するためのラッチ機構１４を収納部１５内に設けるとともに、芳香剤容器５を着脱する際の指先挿入スペースとなる凹部７ｂをルーバ７の開口部７ａの上下部分に設けている。従って、指先を挿入するためのスペースを凹部７ｂで確保することができるようになり、これによって、芳香剤容器５のルーバ７外への突出寸法を小さく抑制できるため、衛生洗浄装置１０の外部への出っ張りを無くすことができる。
【００４４】
次に、芳香剤容器５とサイズが異なる他の芳香剤容器に芳香剤含浸パッド６を収容する場合の構成について説明する。この場合、芳香剤含浸パッド６に、予め「切れ込み」を入れた「折り目」を設けておき、芳香剤含浸パッド６を「折り目」で破断することにより、芳香剤容器のサイズに応じた大きさとする。このようにすれば、芳香剤容器５とサイズが異なる他の芳香剤容器に対しても芳香剤含浸パッド６を収容可能となるため、芳香剤含浸パッド６の共用化を図ることができる。
【産業上の利用可能性】
【００４５】
本発明の芳香装置は、一般家庭のトイレや公共設備に設けられたトイレなどに配備された衛生洗浄装置に組み込んで広く利用することができる。
【図面の簡単な説明】
【００４６】
【図１】本発明の実施の形態である芳香装置を使用した衛生洗浄装置を示す斜視図である。
【図２】図１に示す衛生洗浄装置の一部拡大図である。
【図３】図１に示す芳香装置の分解斜視図である。
【図４】図１に示す衛生洗浄装置の内部構造を示す斜視図である。
【図５】図３の一部を拡大して示す分解斜視図である。
【図６】図２に示す芳香装置を構成する芳香剤容器を示す斜視図である。
【図７】図２におけるＡ−Ａ線断面図である。
【図８】図２におけるＢ−Ｂ線断面図である。
【図９】（ａ）はラッチ機構を示す平面図であり、（ｂ）はラッチ機構を示す一部切欠側面図である。
【図１０】図９に示すラッチ機構に芳香剤容器を保持する過程を示す図である。
【図１１】図９に示すラッチ機構から芳香剤容器を離脱させる過程を示す図である。
【図１２】図６に示す芳香剤容器に芳香剤を収容する手順を示す図である。
【符号の説明】
【００４７】
１  洋式便器
１ａ  便座
２  脱臭ファン
３  脱臭風路
４  排気口
５  芳香剤容器
５ａ  収容部
５ｂ  係合部
５ｃ  誘込部
５ｄ  切欠部
５ｅ  掴み部
５ｆ  前縁部
５ｇ  開口部
５ｈ  底部
５ｒ  後縁部
５ｖ  ガード部材
５ｗ  壁部
６  芳香剤含浸パッド
６ａ  露出部分
６ｂ  領域
７  ルーバ
７ａ，１０ｂ  開口部
７ｂ  凹部
７ｃ  係合爪
８  触媒
９  フィルタ
１０  衛生洗浄装置
１０ａ  本体カバー
１０ｃ  本体ケース
１１  吸引口
１４  ラッチ機構
１５  収納部
２０  衛生洗浄ノズル
５０  芳香装置
５１  包装袋
１４１  固定筒
１４１ａ  第１突起爪
１４１ｂ  第２突起爪
１４１ｃ  長孔
１４２  ロッド
１４２Ａ  開放部
１４２Ｂ  ストッパ
１４２ａ  保持片
１４２ｂ  ヒンジ
１４２ｃ  突起
１４３  カム爪
１４３ａ  切欠き
１４３ｂ  撫で肩の角
１４３ｃ  鋭利な角
１４４  コイルバネ
【図１】
0004819572.tif 000002
【図２】
0004819572.tif 000003
【図３】
0004819572.tif 000004
【図４】
0004819572.tif 000005
【図５】
0004819572.tif 000006
【図６】
0004819572.tif 000007
【図７】
0004819572.tif 000008
【図８】
0004819572.tif 000009
【図９】
0004819572.tif 000010
【図１０】
0004819572.tif 000011
【図１１】
0004819572.tif 000012
【図１２】
0004819572.tif 000013